(57)【要約】【課題】ＦＰＵ受信基地局の受信電界強度においてＦＰＵ送信機から伝送可能な余裕度を瞬時に識別可能な伝送状況表示方法を提供する。【解決手段】ＦＰＵ送信機ａは、ＦＰＵ受信基地局ｂへ番組素材を電波で送信する。ＦＰＵ受信基地局ｂは受信した電波から伝送レートの符号化率ごとの余裕度を含む受信状態信号を生成し、生成した受信状態信号と番組素材とを合成して遠隔監視制御装置Ｘに送信する。受信Ｉ／Ｆ部１は合成された信号を受信し、復調部２に入力する。復調部２は入力された信号を復調する。受信状態信号抽出部３は、合成された信号から受信状態信号を識別し、余裕度を取得する。次に受信状態信号抽出部３はメモリ５から余裕度に対応する表示量を読み出す。受信状態信号抽出部３は、表示部４に余裕度に対応する表示量を表示させる。【選択図】図１
2009290580.tif 000002
【特許請求の範囲】
【請求項１】
電波の受信手段から出力された受信状況を表示手段に表示する伝送状況表示方法であって、
前記受信手段の受信電界強度の余裕度に応じて表示領域の大きさを段階的に変化させて前記表示手段に表示することを特徴とする伝送状況表示方法。
【発明の詳細な説明】
【技術分野】
【０００１】
本発明は、無線伝送装置の伝送状況表示方法に関する。
【背景技術】
【０００２】
従来、テレビの中継放送では、放送局外で撮影等された番組素材を、移動中継車に搭載したＦＰＵ（Field Pickup Unit）送信機からマイクロ波で送信し、送信された電波をＦＰＵ受信基地局で中継して、ＦＰＵ受信基地局からＴＳＬ（Transmitter to Studio Link）回線等により放送局に伝送することが多い。
【０００３】
マイクロ波は直進伝播する性質のため、電波の伝播経路に山や建造物等があると電波が遮断される。そのため、ＦＰＵ受信基地局は山頂等の高い場所に設置され、無人であることが多い。そこで、ＦＰＵ受信基地局の回転アンテナは、ＦＰＵ送信機からの電波を受信するために、送信される電波の方角へ向くように回転アンテナの方向が遠隔制御される（以下、「方調」という）。
【０００４】
また、ＦＰＵ受信基地局での電界強度（以下、「受信電界強度」という）は、アンテナの方向によって変化する。受信電界強度が低下した場合、アナログ伝送ではノイズ等の混入が増えて映像が乱れ、ディジタル伝送では受信電界強度が最低受信電界強度を下回るとエラー訂正不可能となり突然映像が映らなくなる。そのため、高い品位の映像を伝送するためにもアンテナの方調は重要である。
【０００５】
そこで、近年、遠隔制御されるアンテナの方調を簡易にするために、ＧＵＩ（Graphical User Interface）を用いた技術が知られている。
【０００６】
例えば、電波の遮蔽地帯を避けてアンテナの方調を簡易に行うために、回転パラボラアンテナの垂直角度線と、回転パラボラアンテナの水平角度線に該当する地形断面表示線の縦断面図とを、回転パラボラアンテナを遠隔制御する制御装置の画面上に表示する技術が知られている（特許文献１参照）。この技術によれば、オペレータは、垂直角度線と縦断面図とが重なって表示されるときに、回転パラボラアンテナの方向に電波遮蔽地帯があることを容易に判断できる。
【０００７】
また、ＦＰＵ受信基地局の回転アンテナの方調を遠隔制御する遠隔制御センタは、放送局に設置されることが多い。そのため、方向調整モード時に映像信号圧縮率を高めて画質を低下させてＮＵＬＬデータを多く発生させ、そのＮＵＬＬデータを中継地点の受信状態信号に置き換えて放送局に送信する技術が知られている（特許文献２参照）。この技術によれば、中継地点であるＦＰＵ受信基地局の伝送状況を放送局のモニタに表示できるので、伝送状況を確認しながら回転アンテナを遠隔制御可能である。
【０００８】
また、上記したように、最低受信電界強度を下回ると放映不可能となるため、中継地点であるＦＰＵ受信基地局の受信電界強度を用いて、現在受信中の受信電界強度で伝送可能な情報量（以下、「余裕度」という）を、受信電界強度と最低受信電界強度との差で数値化して、放送局のモニタに表示する技術も知られている。
【０００９】
例えば、図３は、回転アンテナを遠隔制御する従来の方調支援画面例である。図３の方調支援画面は、伝送レート毎の余裕度を示す判定結果９１と、ビット誤り率を示す受信ＢＥＲメータ９２と、受信電界強度を示す受信電界メータ９３と、信号を振幅と位相とで表すコンスタレーション９４と、遅延波等を示す信号波形９５とを有する。
【００１０】
判定結果９１は、ＦＰＵ送信機から所定の伝送レートで送信された情報を、ＦＰＵ受信基地局の現在の受信電界強度において受信した場合の余裕度を表している。
【００１１】
判定結果９１では、ＱＡＭ（Quadrature Amplitude Modulation）、ＯＦＤＭ（Orthogonal Frequency Division Multiplexing）、ＳＤ（スペースダイバーシティ）のそれぞれの符号化率をＨ（High）、Ｍ（Middle）、Ｌ（Low）の三段階で伝送された場合の、現在の受信電界強度における余裕度を表示している。符号化率は、例えばＱＡＭの場合、Ｈを５／６、Ｍを３／４、Ｌを１／２と設定する等して、伝送する符号化率に差をつけて適宜設定される。
【００１２】
なお、エラー訂正可能な下限値である最低受信電界強度は変調方式及びその符号化率によって異なる。そのため、受信電界強度で伝送可能な情報量である余裕度（現在の受信電界強度−最低受信電界強度）も、変調方式及びその符号化率によって異なるので、判定結果９１では９つの伝送レートの余裕度を表示している。オペレータは、この余裕度を確認することで、現在の受信電界強度において最適な伝送レートを特定できる。
【００１３】
判定結果９１の余裕度と色との対応表が表１である。
【表１】
2009290580.tif 000003
【００１４】
表１では、余裕度が「１１ｄＢ以上」の場合、余裕度レベルを「余裕でＯＫ」とし、表示色を「青」とする。また、余裕度が「５〜１０ｄＢ」の場合、余裕度レベルを「ＯＫ」とし、表示色を「緑」とする。以下同様に、余裕度が「１〜４ｄＢ」の場合、余裕度レベルを「ギリギリＯＫ」とし、表示色を「黄」とし、余裕度が「−３〜０ｄＢ」の場合、余裕度レベルを「ギリギリＮＧ」とし、表示色を「赤」とし、余裕度が「−３ｄＢ未満」の場合、余裕度レベルを「ＮＧ」とし、表示色を「白」とする。このように、表１では余裕度を５段階の余裕度レベルに分けているので、対応する表示色は５つとなっている。
【００１５】
図３に示すように、従来例では余裕度が色別に表示されるので、オペレータはいくつかの色を覚えるだけで、どの伝送レートで番組素材を送信すればよいか判断できる。
【特許文献１】特開2005-073007号公報
【特許文献２】特開2007-251861号公報
【発明の開示】
【発明が解決しようとする課題】
【００１６】
しかし、従来例の図３のように余裕度を色別に表示する形態では、余裕度の表示種類が多いと対応する色数が多くなるため、オペレータは、瞬時にどの余裕度レベルが表示されているのか判断しづらかった。
【００１７】
本発明は上記課題に鑑みてなされたものであり、ＦＰＵ受信基地局の受信電界強度においてＦＰＵ送信機から伝送可能な余裕度を瞬時に識別可能な伝送状況表示方法を提供することを目的とする。
【課題を解決するための手段】
【００１８】
本発明の方法は伝送状況表示方法に関する。この伝送状況表示方法は、電波の受信手段から出力された受信状況を表示手段に表示する伝送状況表示方法であって、前記受信手段の受信電界強度の余裕度に応じて表示領域の大きさを段階的に変化させて前記表示手段に表示することを特徴とする。
【発明の効果】
【００１９】
本発明は、ＦＰＵ受信基地局の受信電界強度においてＦＰＵ送信機から伝送可能な余裕度を瞬時に識別可能とすることができる効果を奏する。
【発明を実施するための最良の形態】
【００２０】
図１は、本発明に係る実施形態の遠隔監視制御装置Ｘを用いた方調支援システムの構成例である。
【００２１】
まず、移動中継車のＦＰＵ送信機ａから所定の伝送レート（例えば変調方式１６ＱＡＭで符号化率１／２）でＦＰＵ受信基地局ｂに電波を伝播する。
【００２２】
ＦＰＵ受信基地局ｂは、回転アンテナで電波を受信すると、公知の技術（例えば上記した特開2007-251861号公報）を用いて、ＦＰＵ受信基地局ｂにおける受信状態信号とＦＰＵ送信機ａから送信された番組素材とを合成した信号を遠隔監視制御装置Ｘに送信する。
【００２３】
具体的には、ＦＰＵ受信基地局ｂは、受信した電波を基に受信状態信号を生成する。この受信状態信号は、ＢＥＲ値や受信電界強度、受信電界強度における所定の伝送レート及び符号化率の余裕度等からなる。ＦＰＵ受信基地局ｂが算出する余裕度は、現在受信している受信電界強度とそれぞれの変調方式及び符号化率の最低受信電界強度との差である。ここでは、ＦＰＵ受信基地局ｂは、余裕度を算出するために、ＱＡＭ、ＯＦＤＭ、ＳＤの変調方式に対する符号化率Ｈ、Ｍ、Ｌとそれらの最低受信電界強度とを対応させた表を有しているものとする。
【００２４】
ＦＰＵ送信機ａから送信された番組素材には、伝送レートの調整のためにＮＵＬＬデータが挿入されている。そこで、ＦＰＵ受信基地局ｂは生成した受信状態信号を番組素材内のＮＵＬＬデータ位置に挿入して、受信状態信号と番組素材とを合成して、遠隔監視制御装置Ｘに送信する。
【００２５】
このように、ＦＰＵ受信基地局ｂが受信状態情報を算出して遠隔監視制御装置Ｘに送信するので、ＦＰＵ受信基地局ｂと遠隔監視制御装置Ｘとの間の伝送経路状のエラー混入による情報劣化を考慮することなく、ＦＰＵ受信基地局ｂの正確な受信状態を伝送できる。なお、遠隔監視制御装置Ｘは、放送局に設置されても良いし、独立した遠隔監視センターに設置されても良いし、ＦＰＵ送信機ａに設置されても良い。ＦＰＵ送信機ａに設置する場合、ＦＰＵ受信基地局ｂは受信状態信号のみ送信すると良い。この場合、例えば携帯電話等の低速回線を用いて、遠隔監視制御装置Ｘを簡易かつ移動性に優れた構成にできる。
【００２６】
次に、本実施形態の特徴である遠隔監視制御装置Ｘの構成を説明する。
まず、受信Ｉ／Ｆ部１は、受信状態信号と番組素材とが合成された信号を受信して、復調部２に出力する。復調部２は、受信した信号にエラー訂正等の復調処理を行い、受信状態信号抽出部３に出力する。受信状態信号抽出部３は、復調処理された信号から番組素材と受信状態信号とを識別し、受信状態信号から複数の伝送レート及び符号化率の余裕度を取得する。
【００２７】
次に、受信状態信号抽出部３は、取得した複数の伝送レート及び符号化率の余裕度に対応する表示量をメモリ５から読み出す。受信状態信号抽出部３は、読み出した表示量を表示部４に表示させる。なお、メモリ５には、余裕度と表示量とを対応させた表とが予め記憶されているものとする。
【００２８】
次に、表示部４に表示させる表示量の表示例について図２を参照して説明する。図２は、表示部４で表示される方調支援画面の１例である。図２で、図３と同様の構成には同一の符号を付け、説明を省略する。図２の方調支援画面は、図３と判定結果４１が相違する。
【００２９】
判定結果４１は、従来技術の図３と同様にＱＡＭ、ＯＦＤＭ、ＳＤをそれぞれＨ、Ｍ、Ｌの３段階の符号化率で表し、合計９つの升目に余裕度を表示する。
【００３０】
表２は、従来技術の表１の中で表示色の列を表示量とした以外、表１の構成と同一である。つまり、本実施形態の特徴は、余裕度を表示色ではなく表示量で表す点にある。余裕度を示す表示量は、升目の枠内における表示領域の大きさで表され、余裕度に応じて表示領域の大きさを段階的に変化させて表す。
【表２】
2009290580.tif 000004
【００３１】
具体的には、表示量は表示量の全体の最大値を「１００％」（升目の枠の大きさ）として、例えば余裕度レベルが「余裕でＯＫ」のときに表示領域の大きさを「１００％」の大きさで表す。また、余裕度レベルが「ＯＫ」のときに表示領域の大きさを全体の「７５％」の大きさで表す。以下同様に、余裕度レベルが「ギリギリＯＫ」のときに「５０％」、「ギリギリＮＧ」のときに「２５％」、「ＮＧ」のときに「０％」となるように表示領域の大きさを変化させる。
【００３２】
表示領域の大きさを１００％で表示するときは、升目の枠と表示領域の大きさとを一致させると良い。表示領域の大きさは、升目の枠を基準とすることで視認性が高まるからである。また、表示領域の大きさを変化させるときは、升目の枠内の中心を基準として枠と同形状で表示領域の大きさを変化させても良いし、升目の下辺を基準として、下辺を０％で上辺を１００％として棒状に表示領域の大きさを変化させても良い。また、表示領域の大きさの形状は四角に限らず丸や三角であっても良いことは言うまでもない。
【００３３】
このように、余裕度を表示量で表すことによって、表示される色数を表示量の１色にすることができ、視認時に混乱が生じない。また、オペレータは、表示量の表示領域の大きさが大きいか小さいかを確認するだけで伝送可能か否かを瞬時に判断できる。
【００３４】
また、ＦＰＵ送信機ａから現在送信されている伝送レート及び符号化率と同一の伝送レート及び符号化率が判定結果４１の升目内にある場合、その該当する升目の枠等を他の升目の枠等と識別可能に色を変えても良い。この場合、オペレータは、ＦＰＵ送信機ａから現在送信されている伝送レート及び符号化率で伝送可能か否かや、他の伝送レートに変更すべきか否かを瞬時に判断できる。
【００３５】
また、余裕度を量（表示領域の大きさ）と色とで表してもよい。この場合、余裕度の余裕度レベルが「ギリギリＯＫ」以上の場合と「ギリギリＮＧ」以下の場合とで、表示量の色を別にすると良い。この場合、オペレータは、伝送可能か否かで余裕度を判断できるので、伝送可能な伝送レートの特定をより早くでき、緊急時の中継放送等に役立つ。
【００３６】
また、図２では余裕度を５段階に分けて表示したが、適宜段階数に合わせて表示する領域の大きさを変更すればよい。領域の大きさは定量的に変化させても良いし、比例的に変化させても良い。ここで、定量的に変化させるとは、例えば２５％刻みずつのように、一定量ずつ領域の大きさが変化することをいう。また、比例的に変化させるとは、例えば０％、１０％、３０％、７０％・・・のように領域の大きさの差に比例して領域の大きさが変化することをいう。表示領域の大きさを比例的に変化させる場合、高い余裕度レベルと低い余裕度レベルとの差が、定量的に変化させる場合と比べて大きくなるので、オペレータは一見して伝送可能か否かを判断できる。
【００３７】
以上の本実施形態を概説すると、本実施形態の伝送状況表示方法は、電波の受信手段から出力された受信状況を表示手段に表示する伝送状況表示方法であって、前記受信手段の受信電界強度の余裕度に応じて表示領域の大きさを段階的に変化させて前記表示手段に表示することを特徴とする。これにより、ＦＰＵ受信基地局ｂのアンテナの方調に応じた受信電界強度の余裕度に応じて表示領域の大きさが拡大又は縮小されるので、オペレータは習熟度に関係なく、電波の受信手段であるＦＰＵ受信基地局ｂのアンテナの方調から伝送モードの決定までを直感的に簡易に行うことができる。
【００３８】
また、前記表示領域の大きさは、余裕度に応じて定量的又は比例的に変化させても良い。これにより、オペレータは、所定の伝送レート及び符号化率において余裕度の余裕無しから余裕有りまでの視認性を高めることができる。
【００３９】
また、前記表示領域は、伝送可能な表示領域の色と伝送不可能な表示領域の色とで相違しても良い。これにより、オペレータは所定の伝送レート及び符号化率で伝送可能か否かを瞬時に判断することができる。
【００４０】
本発明は上述した実施の形態に限定されるものではなく、本発明の趣旨を逸脱しない範囲で種々様々に変更が可能であることは言うまでもない。
【産業上の利用可能性】
【００４１】
本発明は、所定のレベルを複数段階に分けて表示する形態に適用できる。
【図面の簡単な説明】
【００４２】
【図１】本発明の実施形態に係る遠隔監視制御装置Ｘの構成を示す図である。
【図２】本発明の実施形態に係る方調支援の表示画面例である。
【図３】従来の方調支援の表示画面例である。
【符号の説明】
【００４３】
１・・・受信Ｉ／Ｆ部
２・・・復調部
３・・・受信状態信号抽出部
４・・・表示部
５・・・メモリ
４１、９１・・判定結果
９２・・受信ＢＥＲメータ
９３・・受信電界メータ
９４・・コンスタレーション
９５・・信号波形
ａ・・・ＦＰＵ送信機
ｂ・・・ＦＰＵ受信基地局
Ｘ・・・遠隔監視制御装置
【図１】
2009290580.tif 000005
【図２】
2009290580.tif 000006
【図３】
2009290580.tif 000007